(57)【特許請求の範囲】
【請求項１】
電気−機械エネルギー変換素子を備えた振動体の前記変換素子に交番電圧を与えて前記振動体に振動波を発生させ、前記振動体の複数の突起に接触する移動体を相対的に回転させる振動型アクチュエータの制御回路であって、
前記制御回路は、前記移動体と前記振動体との相対速度と指令速度との偏差、又は、前記移動体と前記振動体との相対位置と指令位置との偏差、に基づき、前記アクチュエータをフィードバック制御するように構成されていると共に、
繰返し補償器を備え、
前記繰り返し補償器の繰返し周期は、Ｔ／（ｆｓの整数倍）
｛Ｔ：前記回転の周期、ｆｓ：前記突起と前記移動体との接触領域分布に基づく速度偏差の空間周波数｝
に設定されていることを特徴とする振動型アクチュエータの制御回路。
【請求項２】
前記ｆｓは、前記複数の突起の数に等しいことを特徴とする請求項１記載の振動型アクチュエータの制御回路。
【請求項３】
前記繰返し補償器は、フィルタと遅延器を備えることを特徴とする請求項１記載の振動型アクチュエータの制御回路。
【請求項４】
前記繰返し補償器は、前記繰返し補償器の出力を負帰還で前記繰返し補償器の入力にフィードバックする構成であることを特徴とする請求項１記載の振動型アクチュエータの制御回路。
【請求項５】
前記フィルタは、微分器と積分器とからなるＣＩＣフィルタであることを特徴とする請求項３記載の振動型アクチュエータの制御回路。
【請求項６】
前記繰返し補償器の入力にフィードバックされる経路において、ゲインを乗算する乗算器が設けられ、前記乗算器のゲインは、前記繰返し補償器の開ループ特性が前記繰返し周期の周波数で０ｄＢ未満になるように設定されていることを特徴とする請求項４記載の振動型アクチュエータの制御回路。
【請求項７】
前記繰返し補償器は、繰返し周期が異なる複数の繰返し補償器から構成されていることを特徴とする請求項１記載の振動型アクチュエータの制御回路。
【請求項８】
前記複数の繰返し補償器は、並列に接続されていることを特徴とする請求項７記載の振動型アクチュエータの制御回路。
【請求項９】
前記繰り返し補償器の前段に、リミッタを備えることを特徴とする請求項１に記載の振動型アクチュエータの制御回路。
【発明の詳細な説明】
【技術分野】
【０００１】
本発明は、振動型アクチュエータの制御回路に関するものである。
【背景技術】
【０００２】
超音波モータ、もしくは圧電モータと称される振動型アクチュエータが既に実用化されているが、近年、更なる性能向上を目指し、開発が活発に行なわれている。この振動型アクチュエータは、圧電素子又は電歪素子等の電気−機械エネルギー変換素子に交番電圧を印加することによって、該素子に高周波振動を発生させ、その振動エネルギーを連続的な機械運動として取り出すように構成されている。発生する振動の種類によって、定在波型と進行波型とに分けられる。
【０００３】
図１は、従来の進行波型の振動型アクチュエータの制御系を示したものである。不図示のコントローラより指令速度が与えられ、速度偏差検出器１０１にエンコーダ等の速度検出器１０７で得られた相対速度を示す速度信号と指令速度値が入力され、速度偏差信号が出力される。速度偏差信号はＰＩＤ補償器１０２に入力され、制御信号が出力される。ここで、ＰＩＤ補償器１０２とは比例（Ｐ）・積分（Ｉ）・微分（Ｄ）の各機能を有する補償器の出力を加算したものであり、制御対象の位相遅れやゲインを補償して、安定且つ高精度な制御系を構築する為に一般的に用いられる。ＰＩＤ補償器１０２から出力された制御信号は、制御対象である駆動周波数パルス発生器１０３に入力される。駆動周波数パルス発生器１０３は、入力された制御信号に応じた駆動周波数が変化するパルス信号を発生させるものであり、デジタル分周回路やＶＣＯ（電圧制御発振器）などが用いられる。また、ＰＷＭ（パルス幅変調）制御により、制御信号に応じてパルス幅が変化するパルス信号を発生させても良い。駆動周波数パルス発生器１０３から出力された駆動周波数パルス信号は駆動回路１０４に入力され、位相が９０°異なる２相の交番電圧が出力される。交番電圧は、位相が９０°ずれた２相の交番信号である。駆動回路１０４には、例えばスイッチング機能を有するトランス型昇圧回路やＬＣ昇圧回路等が用いられる。駆動回路１０４から出力された交番電圧は振動型アクチュエータ１０５の電気−機械エネルギー変換素子に入力され、振動型アクチュエータ１０５の移動体は一定速度で駆動される。振動型アクチュエータ１０５に連結された被駆動体１０６も同様に一定速度で駆動され、前記速度検出器１０７によって回転速度が検出され、回転速度が常に指令速度値に近づくようにフィードバック制御される。
【０００４】
図２は、振動型アクチュエータ１０５の例を示す斜視図である。振動型アクチュエータ１０５は、電気−機械エネルギー変換素子２０１と弾性体２０２との結合体から成る振動体２０３と、移動体２０４で構成され、各部材は図中θ方向に円環形状を為している。電気−機械エネルギー変換素子２０１に２相の交番電圧が印加されると、振動体２０３に進行性振動波が発生し、振動体２０３に接触する移動体２０４は摩擦駆動によって相対的に回転する。
【０００５】
図３は、前記弾性体２０２を示す図である。弾性体２０２の移動体２０４と接触する側には、図に示すように複数の突起３０１と溝３０２が交互に設けられている。図の例では１周あたりに各々３２個設けられている。このような突起３０１を設けることにより、移動体２０４との接触部、つまり突起３０１の先端部で進行性振動波の振幅を拡大することができ、十分な回転駆動力を得ることができる。以下、本文中の突起とは、移動体２０４と接触する突起と溝を形成したことにより相対的に凸部となる部分を指す。
【０００６】
前述したＰＩＤ補償器１０２を用いたフィードバック制御回路は、振動型アクチュエータ１０５に限らず、その他の制御対象にも広く使用されるものである。一方、繰返し制御と呼ばれる補償制御方法がある。特許文献１では、ある一定の周期毎に、同じパターンの目標値が繰返し与えられるフィードバック制御系に用いられる繰返し補償器が提案されている。特許文献２では、設定値変更や負荷変動などが周期的に発生するような制御系に用いられる繰返し補償器が提案されている。前記繰返し制御を用いれば、繰返し周期の回数を重ねるごとに出力が目標入力に追従していき、要求される絶対精度が極めて高い制御を得ることができる。しかしながら、振動型アクチュエータに前記繰返し制御を用いた提案及び具体的な構成例はこれまでに無かった。従来の振動型アクチュエータの制御では、一般的なＰＩＤ補償器１０２を基本としたフィードバック制御を用いていた。
【先行技術文献】
【特許文献】
【０００７】
【特許文献１】特公平０６−０７７２０１号公報
【特許文献２】特登録０４１５２２３９号公報
【発明の概要】
【発明が解決しようとする課題】
【０００８】
しかし、従来のＰＩＤ補償器１０２を用いた制御系では、振動型アクチュエータ１０５の駆動中に生じる、弾性体２０２の突起３０１の数に応じた周期的な速度変動を十分に抑制できないという課題があった。
【０００９】
図４は、駆動中の振動体２０３と移動体２０４の模式的断面図である。振動体２０３には図中右方向に進行性振動波が発生しており、移動体２０４は逆方向に回転駆動される。進行性振動波と移動体２０４との接触部を拡大すると、図のように突起３０１先端部と移動体２０４表面が接触する。駆動中において、接触部での接触圧力は理想的には常に一定であるが、実際には突起３０１及び移動体２０４ともにその平面の凹凸によって回転位置に応じて異なっている。つまり、接触圧力は移動体２０４の１回転あたりで、突起３０１の数だけ変化する。これにより、移動体２０４の回転と同期して、突起３０１と移動体２０４との接触領域分布に応じた振動体２０３のメカ共振周波数の変動が生じる。このメカ共振周波数の変動は振動体２０３に生じる振動波の振幅変動となり、移動体２０４の回転と同期して、接触領域分布、すなわち突起３０１の数に応じた周期的な速度変動が生じてしまう。
【００１０】
図５は、測定した速度変動の空間周波数分布を示すものである。横軸は空間周波数であり、１回転あたりの速度変動の揺らぎ数（ｃｙｃｌｅｓ／回転）、すなわち回転次数を示すものである。縦軸は速度変動の振幅（ｄＢ）である。この結果は、図１に示した従来の進行波型の振動型アクチュエータの制御回路を用いて制御を行い、速度偏差検出器１０１から速度偏差信号を外部の測定機器に取り込み、解析したものである。図５より、空間周波数４６と９２の位置にピークが生じている。ここで、測定に使用した弾性体２０２の突起３０１の数は４６個である。また、空間周波数９２のピークは、空間周波数４６の２次高調波成分である。本発明者らは、弾性体２０２の突起３０１の数を変更した場合や、回転速度を変更した場合についても測定を行い、いずれの場合においても突起３０１の数に応じた周期的な速度変動が生じることを確認した。
【００１１】
ここで、例えば複写機の電子写真ドラムを駆動する振動型アクチュエータ１０５を考え、移動体２０４を最大で２３０ｒｐｍの回転速度で駆動するものとする。振動型アクチュエータ１０５は高精度な速度又は位置制御が行えるので、電子写真ドラム用の駆動モータとして使用すれば、色ずれの少ない画像を形成することができる。しかし、２３０ｒｐｍで駆動する場合、前記速度変動は時間周波数に換算すると、１７６Ｈｚと３５３Ｈｚで生じることになる。電子写真ドラムに速度変動が生じると、紙に転写された画像には色の濃淡が生じてしまう。これは一般的にバンディングと呼ばれるもので、人間の視感度特性により、空間周波数１ｃｙｃｌｅ／ｍｍ付近で生じる濃淡が最も目立つものとなる。これは、電子写真ドラムの回転速度が２３０ｒｐｍの場合、３６０Ｈｚ付近の速度変動が最もバンディングとして目立つ周波数となる。従って、突起３０１による１７６Ｈｚの速度変動はもとより、３５３Ｈｚの速度変動を低減することが必要となる。
【００１２】
しかしながら、１７６Ｈｚと３５３Ｈｚの速度変動は制御帯域に対して高域にあるため、従来のＰＩＤ補償器を用いた制御回路では、制御ゲインをあまり上げることが出来ず、速度変動を十分に低減する事はできなかった。前記制御帯域は、使用するアクチュエータや被駆動体を含めた制御対象にも依るが、一般的には１００Ｈｚを超えると位相遅れが大きくなり、高いゲインで制御を行うことは難しくなる。従って、振動型アクチュエータ１０５の制御回路において、バンディングの防止や、より高精度な速度制御を実現するには、振動体２０３の接触領域分布に基づく周期的な速度変動を抑制する別系統の制御回路を追加することが必要である。
【００１３】
そこで、本発明では、前記課題を解決する、振動型アクチュエータの制御回路を提供することを目的とする。
【課題を解決するための手段】
【００１４】
本発明の振動型アクチュエータの制御回路は、電気−機械エネルギー変換素子を備えた振動体の前記変換素子に交番電圧を与えて前記振動体に振動波を発生させ、前記振動体の複数の突起に接触する移動体を相対的に回転させる振動型アクチュエータの制御回路であって、
前記制御回路は、前記移動体と前記振動体との相対速度と指令速度との偏差、又は、前記移動体と前記振動体との相対位置と指令位置との偏差、に基づき、前記アクチュエータをフィードバック制御するように構成されていると共に、
繰返し補償器を備え、
前記繰り返し補償器の繰返し周期は、Ｔ／（ｆｓの整数倍）
｛Ｔ：前記回転の周期、ｆｓ：前記突起と前記移動体との接触領域分布に基づく速度偏差の空間周波数｝に設定されていることを特徴とする。
【発明の効果】
【００１５】
本発明によれば、振動型アクチュエータの速度・位置制御において、振動体の突起と移動体の接触領域分布に基づく周期的な速度変動を大幅に抑制することが可能となる。従って、複写機の電子写真ドラム駆動に振動型アクチュエータを適用した場合には、バンディングを防止することができる。また、その他の振動型アクチュエータを用いた制御において、高精度な速度・位置制御が可能となる。
【図面の簡単な説明】
【００１６】
【図１】従来の進行波型の振動型アクチュエータの制御系を示したものである。
【図２】振動型アクチュエータの例を示す部分斜視図である。
【図３】図２図示の弾性体の全体を示す図である。
【図４】駆動中の振動体と移動体の状態を示す模式的断面図である。
【図５】測定した速度変動の空間周波数分布を示すものである。
【図６】本発明の実施形態における、振動型アクチュエータの制御系を示す図である。
【図７】本発明の繰返し補償器の構成を示す図である。
【図８】繰返し補償器に用いるサンプラの機能を示す図である。
【図９】繰返し補償器に用いるフィルタの例を示す図である。
【図１０】繰返し補償器に用いる遅延器の例を示す図である。
【図１１】本発明の制御回路の動作を示す図である。
【図１２】負帰還の繰返し補償器の構成を示す図である。
【図１３】本発明の繰返し補償器において、ＣＩＣフィルタを用いた構成を示すものである。
【図１４】一般的なＣＩＣフィルタの構成を示す図である。
【図１５】本発明で用いた２段型のＣＩＣフィルタの構成を示す図である。
【図１６】本発明の実施形態で用いた、並列に２つの繰返し補償器設けた構成を示す図である。
【図１７】本発明の第１の実施形態の制御回路を適用した場合における、速度変動の空間周波数分布を示す図である。
【図１８】不等ピッチ型の弾性体の例を示す平面図である。
【図１９】不等ピッチ型の振動型アクチュエータの速度変動の空間周波数分布を示す図である。
【図２０】カメラレンズのオートフォーカス駆動などに用いられる、棒状の振動型アクチュエータの分解斜視図である。
【図２１】弾性体に放射状の溝が設けられた振動体の斜視図である。
【図２２】負帰還の繰返し補償器の開ループ特性を示すものである。
【図２３】ＣＩＣフィルタを用いた繰返し補償器における、繰返しゲインの調整を説明するための図である。
【図２４】繰り返し補償器の前段にリミッタを設けた場合の構成例を示す模式図である。
【図２５】外乱としてステップ信号を入力した場合における、速度変動のリミッタによる効果を示す計算結果である。
【発明を実施するための形態】
【００１７】
本発明における振動型アクチュエータの制御回路の実施形態について、図面を参照しながら説明する。本実施形態の振動型アクチュエータの制御回路は、次のような振動型アクチュエータに適用される。即ち、電気−機械エネルギー変換素子を備えた振動体の前記変換素子に交番電圧を与えて前記振動体に振動波を発生させ、前記振動体の複数の突起に接触する移動体を摩擦駆動によって相対的に回転させる、振動型アクチュエータである。
【００１８】
図６は、本発明の実施形態における、振動型アクチュエータの制御系を示すブロック図である。基本的な構成は、図１で示した従来の振動型アクチュエータの制御系と同様であり、同番号を付した構成については、説明が重複するので省略する。
【００１９】
制御回路では、まず不図示のコントローラから出力された指令速度値と、速度検出器１０７で検出された速度信号を入力として、速度偏差検出器１０１において速度偏差信号を出力する。なお、ここでいう速度信号は、移動体と一体或いは連結して構成された被駆動体と振動体、若しくは移動体と振動体との相対速度を示す。速度偏差信号はＰＩＤ補償器１０２と繰返し補償器６０１に各々入力され、各補償器で演算処理された信号は出力部で加算される。ここで、本発明におけるＰＩＤ補償器１０２はこれに限定されるものではなく、例えば積分器とＰＩＤ補償器の直列系や、ＰＩ補償器や、或いはローパスフィルタ等を前段・後段に組合せた補償器であっても同様の効果を得ることができる。
【００２０】
図７は、図６中の繰返し補償器６０１の詳細を示す図である。繰返し補償器６０１に入力された速度偏差信号は、サンプラ７０１において特定の離散時間でサンプリングされる。サンプリングされた出力信号を図７（ａ）に示す。説明を分かり易くするため、周期的な速度変動をＳｉｎ波形で表し、４０サンプリング周期における振幅の時間変化を示している。Ｓｉｎ波形の１周期分にあたる１０サンプリング周期を説明上、ここでは繰返し周期とする。もちろん、繰返し周期のサンプリング数はこれに限定されるものではなく、適宜調整される。図７（ａ）の信号は経路７０５を通り、フィルタ７０２と遅延器７０３を通過することで１繰返し周期分遅延され、加算器７０６にて図７（ａ）の信号に加算される。１繰返し周期分遅延した信号を図７（ｂ）に示す。同様に、繰返し周期を２回遅延した信号を図７（ｃ）、繰返し周期を３回遅延した信号を図７（ｄ）として示す。加算器７０６の出力信号は、ゲイン７０４にて乗算処理され、出力される。図７（ｅ）は、図７（ａ）、図７（ｂ）、図７（ｃ）、図７（ｄ）を加算した信号であり、繰返し周期を重ねる毎に信号振幅が増大していく様子がわかる。つまり、繰返し補償器は周期的な速度変動を繰返し周期毎に学習していき、繰返し周期に相当する周波数成分を高いゲインで制御することができる。
【００２１】
次に、繰返し補償器６０１を構成する回路について、より詳細に説明する。
図８は、繰返し補償器に用いるサンプラ７０１の機能を示す図である。図８（ａ）は、サンプラ７０１に入力される信号をＳｉｎ波形として、２周期分の振幅の時間変化を示している。サンプラ７０１にはクロック信号が入力され、入力信号はクロック信号がＨｉｇｈ、つまりイネーブルの時にサンプリングされる。図のＣＬＫはクロック信号を示しており、Ｓｉｎ波形の１周期で１０クロック動作している。図８（ｂ）は、クロック信号のタイミングで図８（ａ）の信号をサンプリングして出力した信号を示している。つまり、サンプラ７０１は入力信号を任意のサンプリング周波数でレート変換して出力する機能を有する。また、前記クロック信号のサンプリング周波数に基づき、繰返し補償器６０１の加算器７０６とフィルタ７０２、遅延器７０３、ゲイン７０４の演算処理が行なわれる。従って、繰返し補償器６０１の繰返し周期は、繰返し補償器６０１が動作するサンプリング周波数に基づいて決定される。
【００２２】
図９は、繰返し補償器に用いるフィルタ７０２の一例を示す。フィルタ７０２には基本的にはローパスフィルタが用いられ、図では４次のＦＩＲ（有限インパルス応答）フィルタが示されている。ＦＩＲフィルタは、そのインパルス応答が有限時間長で表されるものであり、それがフィルタの係数となっている。入力信号はレジスタ９０１に順次格納され、１つのレジスタ９０１で１サンプリング周期遅延する。１サンプリング周期ずつ遅延した信号に各々ｈ０からｈ４のフィルタ係数９０２が乗算され、全て加算された信号が出力される。ｈ０からｈ４はフィルタ係数９０２であり、フィルタのインパルス応答、すなわち周波数特性を決めるものである。前記フィルタ係数９０２を調整することにより、所望のカットオフ周波数以下の信号を通過させるローパスフィルタを構成することができる。前記カットオフ周波数は、少なくとも繰返し周期の周波数以上に設定することが望ましい。また、ＦＩＲフィルタを用いる利点として、直線位相特性を有することが挙げられる。すべての帯域において位相遅れが線形に変化するので、位相補償の設計が容易であり、入力波形に対して出力波形の歪みが生じない。尚、ＩＩＲ（無限インパルス応答）フィルタは非線形位相特性を有するものであるが、同様に繰返し補償器に用いることは可能である。
【００２３】
図１０は、繰返し補償器に用いる遅延器７０３の一例を示す。図は、８つのレジスタ９０１から成る遅延器の例であり。各レジスタ９０１は不図示のサンプリング周波数に基づくクロックで動作し、１サンプリング周期だけ遅延する機能を有する。入力信号はレジスタ９０１に左から順次格納され、１サンプリング周期ずつ遅延しながら移動し、８サンプリング周期遅延した信号が出力される。
【００２４】
このように、繰返し補償器６０１の繰返し周期は、サンプラ７０１のサンプリング周波数に基づき、フィルタ７０２と遅延器７０３の構成によって調整することができる。例えば、前記４次のＦＩＲフィルタと８つのレジスタから成る遅延器を用いた場合、繰返し周期は１０サンプリング周期となる。ここで、４次のＦＩＲフィルタの遅延数は、レジスタ９０１数の半分の２サンプリング周期となる。例えば、８次のＦＩＲフィルタならば４サンプリング周期、１６次なら８サンプリング周期の遅延数に相当する。つまり、繰返し周期は、（１／サンプリング周波数）×（フィルタと遅延器の遅延数の和）、となる。
【００２５】
本発明では、前記繰返し周期を次の値になるように設定する。即ち、前記移動体２０４の回転周期をＴとし、複数の突起３０１と移動体２０４との接触領域分布に基づく速度変動（速度偏差）の空間周波数をｆｓとした場合に、前記繰返し周期を、Ｔ／（ｆｓの整数倍）、或いは、Ｔ／（Ｎの整数倍）に設定する。
ここでＮは突起３０１の数である。なお、設定される繰返し周期は、本発明の効果を大きく損なわない範囲で、具体的には、上記値に対して±１０％の範囲内での変動を許容する。そして、上記「Ｔ／（ｆｓの整数倍）、或いは、Ｔ／（Ｎの整数倍）に設定する」という表現には、その許容された変動が含まれるものとする。
【００２６】
図１１は、本発明の制御回路の動作を示す図である。速度偏差検出器１０１から出力された速度偏差信号は、ＰＩＤ補償器１０２と繰返し補償器６０１に入力され、各々演算処理された出力信号は出力部で加算される。図１１（ａ）及び図１１（ｂ）は、繰返し補償器６０１の入力信号と出力信号を簡易的に示したものである。図１１（ｂ）で示される出力信号が時間的に増幅されていくにつれ、図１１（ａ）で示される入力信号が時間的に減衰していく様子が見て取れる。ＰＩＤ補償器１０２と繰返し補償器６０１の出力信号は加算された後、駆動周波数パルス発生器１０３に入力される。駆動周波数パルス発生器１０３では、入力信号に応じたパルス信号が生成される。前記パルス信号は駆動回路１０４に入力され、振動型アクチュエータ１０５を駆動するのに十分な交番電圧に昇圧された後、出力される。前記交番電圧は電気−機械エネルギー変換素子２０１に印加され、電気−機械エネルギー変換されて振動体２０３に振動波が発生する。前述したように、振動波による移動体接触部での突起との摩擦によって移動体は回転駆動される。
【００２７】
以上のように、本発明の振動型アクチュエータの制御回路を用いると、振動体２０３の突起に応じた周期的な速度変動を低減することが可能となる。
【００２８】
尚、本発明の制御回路は、移動体と一体的或いは連結して形成された被駆動体と振動体、或いは移動体と振動体との相対位置と指令位置の位置偏差によるフィードバック制御においても、同様に適用することができる。
【００２９】
（第１の実施形態）
本発明の制御回路を振動型アクチュエータに実際に適用した第１の実施形態を説明する。測定に用いた振動型アクチュエータ１０５は、弾性体２０２に突起３０１が４６個設けられた進行波型のものである。
【００３０】
具体的に用いた繰返し補償器６０１の構成について説明する。ここで、指令速度は２３０ｒｐｍ（回転周期Ｔ＝２６１ｍｓ）、繰返し補償器のサンプリング周波数を１０ｋＨｚと設定した。この場合、繰返し補償器６０１の繰返し周期は、先述のＴ／（ｆｓの整数倍）より、５．７ｍｓ（２６１ｍｓ／（４６×１））となる。整数倍は等倍とした。
【００３１】
従って、繰返し補償器６０１のフィルタ７０２と遅延器７０３を５７サンプリング周期（＝５．７ｍｓ×１０ｋＨｚ）分遅延するように構成すれば良い。そこで、５６次のＦＩＲフィルタを用いて２８サンプリング周期遅延させ、遅延器７０３のレジスタ９０１を２９個設けて、繰返し補償器６０１を構成した。５６次のＦＩＲフィルタのカットオフ周波数は、５００Ｈｚ程度とした。また、繰返し補償器６０１の出力を乗算処理するゲイン７０４によって、ＰＩＤ補償器１０２のゲインとのバランスを調整した。ＰＩＤ補償器１０２は、振動体の突起に起因した周期的な速度変動以外の速度変動を、全般的に低減することができる。本発明では、ＰＩＤ補償器１０２のゲインに対して１：１になるようにゲイン７０４を設定した。
【００３２】
図１７は、第１の実施形態の制御回路を適用した場合における、速度変動の空間周波数分布を示す図である。横軸は１回転あたりの空間周波数であり、縦軸は速度偏差検出器１０１の速度変動（速度偏差）を示している。比較の為、繰返し補償器が無い場合と、繰返し補償器が有りの場合の結果を示した。繰返し補償器が無い場合に比べ、突起の３０１の空間的な接触領域分布に基づくと考えられる空間周波数４６の速度変動は約２０ｄＢ低減し、それの２次高調波成分である空間周波数９２も１０ｄＢ以上低減した。２次高調波成分も低減されているのは、繰返し補償器６０１は正帰還であるので繰返し周波数の２次、３次、４次といった高調波成分が存在し、フィルタ７０２で設定されたカットオフ周波数以下まで繰返し制御されるためである。このように、本発明の制御回路を適用することにより、振動体の突起に起因した周期的な速度変動を効果的に低減することが可能となる。
【００３３】
（第２の実施形態）
図１２は、第２の実施形態に用いた負帰還型の繰返し補償器の構成を示す。第１の実施形態に用いた繰返し補償器６０１と異なる点は、繰返し補償器の出力を正帰還ではなく、負帰還で入力に戻していることである。図１２（ａ）は、サンプラ７０１の出力信号を示し、繰返し補償器の演算に用いるサンプリング周波数でサンプリングされている。負帰還の場合、繰返し周期は正帰還の半分となり、図の説明では、５サンプリング周期で表している。図１２（ａ）の信号は経路７０５を通り、フィルタ７０２と遅延器７０３によって５サンプリング周期遅延される。遅延された信号は減算器１３０１に反転されて入力される。図１２（ｂ）は、繰返し周期１回分遅延した信号の反転信号を示している。負帰還では、繰返し周期を半分にすることで、同じ位相の信号波形を繰返すことができる。同様に、繰返し周期を２回遅延した反転信号を図１２（ｃ）、繰返し周期を３回遅延した反転信号を図１２（ｄ）として示した。減算器１３０１の出力信号は、ゲイン７０４にて乗算処理される。図１２（ｅ）は、図１２（ａ）の信号に図１２（ｂ）、図１２（ｃ）、図１２（ｄ）を加算した信号であり、正帰還と同様に、繰返し周期を重ねる毎に信号振幅が増大していく様子がわかる。正帰還と負帰還のどちらを用いても良いが、負帰還の場合は半周期の繰返し特性に基づいているため、繰返し周期が小さいのでレジスタ数を抑えることができる。さらには繰返し周期近傍以外の位相変化が少ないので他の制御系と併用する場合に扱いやすい特性を有している。
【００３４】
図２２は、本実施形態における繰返し補償器の開ループ特性を示すものである。図２２（ａ）は、正帰還の繰返し補償器の開ループ特性であり、比較する為に示す。図２２（ｂ）は、負帰還の繰返し補償器の開ループ特性である。上図はゲインの周波数特性、下図は位相の周波数特性を表している。図より、負帰還にすることで低域の位相が０度になっていることがわかる。さらに、低域のゲインも小さいので、他の制御系に並列に接続しても、繰返し周波数以外での影響は小さい。但し、繰返し周期の周波数を１次とした場合の偶数次のピークは消失するので、高次のピークの速度変動も低減する場合は、後述する第４の実施形態により、偶数次の周波数に応じた繰返し補償器を別途並列に接続する必要がある。
【００３５】
本発明の負帰還型の繰返し補償器を、例えば第１の実施形態で用いた振動型アクチュエータに適用することにより、低コストで、振動体の突起に起因した周期的な速度変動を低減することが可能となる。
【００３６】
（第３の実施形態）
図１３は、本発明の繰返し補償器において、ＣＩＣ（Ｃａｓｃａｄｅｄ  Ｉｎｔｅｇｒａｔｏｒ  Ｃｏｍｂ）フィルタ１４０１を用いた構成を示す。実施形態では、前述の負帰還型の繰返し補償器とした。ＣＩＣフィルタは、いわゆるノッチ特性を有するＣｏｍｂ（櫛型）フィルタと積分器を接続したフィルタであり、ＦＩＲフィルタより乗算器を減らすことができ、より簡単な構成でローパスフィルタを構成できる。但し、低次のＣＩＣフィルタは減衰特性が緩やかなため、繰返し周期の高次成分を減衰させるように構成すると、繰返し周期の周波数におけるゲインが十分に得られないので、繰返しゲイン１４０２を設けてゲインを調整する。繰返しゲイン１４０２は、減算器１３０１での入出力信号の開ループ特性が繰返し周期の周波数で、ゲインが０ｄＢより小さい範囲で出来るだけ大きなゲインになるよう調整すると、十分なゲインを得ることができる。
【００３７】
図２３を用いて、ＣＩＣフィルタを用いた繰返し補償器における、繰返しゲインの調整方法を説明する。図２３（ａ）は、繰返しゲイン１４０２を１とした場合の伝達特性である。上図はＣＩＣフィルタのゲインの周波数特性であり、下図は繰返し補償器のゲインの開ループ特性を表している。ここでは、繰返し周期の周波数を１７６Ｈｚとした。繰返し周期の周波数において、ＣＩＣフィルタのゲインは−３．６ｄＢであり、この結果、繰返し補償器のゲインは小さいピークとなってしまう。これでは、周期的な速度変動を十分に低減することはできない。これに対して、図２３（ｂ）は、繰返しゲイン１４０２を乗算した場合の伝達特性を示すものである。図２３（ａ）と比較して繰返しゲイン１４０２は１．５倍に調整され、ＣＩＣフィルタのゲインは繰返し周期の周波数で−０．１ｄＢとなる。この結果、繰返し補償器の開ループ特性におけるゲインを十分大きくすることが可能となる。ここで、繰返しゲイン１４０２の調整は、ゲインが０ｄＢ未満となる範囲で十分に大きくすることが必要である。これは、ゲインが０ｄＢ以上となると、繰返し補償器の閉ループ特性が不安定となり、制御系が発振してしまうためである。
【００３８】
図１４は、ＣＩＣフィルタの構成を示す図である。ＣＩＣフィルタは、微分器１５０１と積分器１５０２とゲイン１５０３で構成される。微分器１５０１は遅延器１５０４によって遅延された信号を出力から減算するものであり、ノッチ特性を有するＣｏｍｂ（櫛型）フィルタに相当するものである。積分器１５０２は遅延器１５０５によって遅延された信号を入力に加算するものであり、これを接続することでローパスフィルタの特性が得られる。例えば、遅延器１５０４のレジスタ９０１数を２０個、遅延器１５０５のレジスタ９０１数を１個とする。ゲイン１５０３は遅延器１５０４の遅延数を分母とし、遅延器１５０５の遅延数を分子とした係数が設定される。この場合、１／２０となる。尚、ＣＩＣフィルタを多段に接続することにより、カットオフ周波数付近でより急峻なローパスフィルタの特性を得ることができる。
【００３９】
図１５は、２段型のＣＩＣフィルタの構成を示す図である。微分器１５０１ａと微分器１５０１ｂは同一であり、遅延器１５０４ａと遅延器１５０４ｂも同一である。また、積分器１５０２ａと微分器１５０２ｂも同一であり、遅延器１５０５ａと遅延器１５０５ｂも同一である。
【００４０】
第１の実施形態で用いた振動型アクチュエータに適用する場合を考える。指令速度は２３２．５ｒｐｍ（回転周期Ｔ＝２５８ｍｓ）、繰返し補償器のサンプリング周波数を１０．６９５ｋＨｚと設定した。この場合、繰返し補償器６０１の繰返し周期は、先述のＴ／（ｆｓ×整数倍）より２．８ｍｓ（２５８ｍｓ／（４６×２））となる。整数倍は、負帰還であるので２倍とした。
【００４１】
従って、ＣＩＣフィルタ１４０１と遅延器７０３を３０サンプリング周期（＝２．８ｍｓ×１０．６９５ｋＨｚ）分遅延するように構成すれば良い。そこで、遅延器１５０４ａ及び１５０４ｂのレジスタ９０１数を２０個、遅延器１５０５ａ及び１５０５ｂのレジスタ９０１数を１個として１９サンプリング周期遅延させ、遅延器７０３のレジスタ９０１数を１１個設けて構成した。この場合のゲイン１５０３は、１／４００となる。ここで、ＣＩＣフィルタの遅延数は、微分器の半分の遅延量から、積分器の半分の遅延量を減算した値となる。この場合は、（２０−１）サンプリングで１９サンプリング周期分の遅延量となる。
本発明のＣＩＣフィルタを用いた繰返し補償器を、例えば第１の実施形態で用いた振動型アクチュエータに適用することにより、低コストで、振動体の突起に起因した周期的な速度変動を低減することが可能となる。
【００４２】
（第４の実施形態）
図１６は、本発明の繰返し補償器において、並列に２つの繰返し補償器を設けた構成を示す。実施形態では、前述の負帰還型でＣＩＣフィルタを用いた繰返し補償器を用いて、第１の実施形態で用いた振動型アクチュエータに適用した。負帰還型は、開ループ特性のゲインのピークが繰返し周波数の奇数次のみに生じるので、１つの繰返し補償器では速度変動の２次高調波成分は低減できない。従って、空間周波数４６の２次高調波成分である、空間周波数９２の成分も低減するために、異なる繰返し周期を有する２つの繰返し補償器６０１を用いている。サンプラ７０１の出力信号は、空間周波数４６の速度変動を抑制する繰返し補償器１７０１と、空間周波数９２の速度変動を抑制する繰返し補償器１７０２とに入力される。ここで、指令速度は２３２．５ｒｐｍ（回転周期Ｔ＝２５８ｍｓ）、繰返し補償器のサンプリング周波数を１０．６９５ｋＨｚと設定した。この場合、繰返し補償器１７０１の繰返し周期は、先述のＴ／（ｆｓ×整数倍）より２．８ｍｓ（２５８ｍｓ／（４６×２））となる。整数倍は、負帰還であるので２倍とした。従って、繰返し補償器１７０１のＣＩＣフィルタ１４０１ａと遅延器７０３ａを３０サンプリング周期（＝２．８ｍｓ×１０．６９５ｋＨｚ）分遅延するように構成すれば良い。そこで、２段型のＣＩＣフィルタ１４０１ａを用いて、微分器のレジスタ９０１数を２０個、積分器のレジスタ９０１数を１個として１９サンプリング周期遅延させ、遅延器７０３ａのレジスタ９０１数を１１個設けて、繰返し補償器１７０１を構成した。また、繰返し補償器１７０２の繰返し周期は、１．４ｍｓ（２５８ｍｓ／（９２×２））となるので、半分の１５サンプリング周期分遅延するように構成すれば良い。そこで、２段型のＣＩＣフィルタ１４０１ｂを用いて、微分器のレジスタ９０１数を１０個、積分器のレジスタ９０１数を１個として９サンプリング周期遅延させ、遅延器７０３ａのレジスタ９０１数を６個設けて、繰返し補償器１７０２を構成した。繰返しゲイン１４０２ａと１４０２ｂは、負帰還ループでの入出力信号の開ループ特性が、繰返し周期の周波数でゲイン０ｄＢになるよう調整した。また、繰返し補償器１７０１と繰返し補償器１７０２の出力を加算し、乗算処理するゲイン７０４は、ＰＩＤ補償器１０２のゲインとのバランスを調整することができる。ＰＩＤ補償器１０２は、振動体の突起に起因した周期的な速度変動以外の速度変動を、全般的に低減することができる。本発明では、ＰＩＤ補償器１０２のゲインに対して１：１になるよう、ゲイン７０４を設定した。
【００４３】
本実施形態の繰返し補償器を設けた制御回路を、第１の実施形態で用いた振動型アクチュエータに適用することにより、振動体の突起に起因した周期的な速度変動の基本波だけでなく、２次高調波成分も同様に低減することが可能である。また、振動体の突起３０１に起因した速度変動が、複数の異なる空間周波数で存在する場合、夫々の空間周波数に応じた複数の繰返し補償器を並列に接続すれば、異なる周期の速度変動を同時に低減することができる。
【００４４】
（第５の実施形態）
本発明の振動型アクチュエータの制御回路は、弾性体に設けられた突起と溝のピッチが周内の領域で異なる振動型アクチュエータ１０５にも適用することが可能である。以下、これを不等ピッチ型と呼ぶ。
【００４５】
図１８は、不等ピッチ型の弾性体の例を示す平面図である。弾性体２０２には突起と溝が形成されているが、図では省略されている。円環形状の弾性体２０２は、原点を中心としてθ６０°毎に６つの領域に分けられている。例えば、線分１と線分２とで囲まれた領域は突起の数Ｎは１０個であり、隣接する線分２と線分３とで囲まれた領域は突起の数Ｎは１１個である。これが領域毎に、１０、１１、１０、１１個と交互に突起の数が設けられている。弾性体２０２の突起の総数は１周あたり６３個であるが、突起と移動体との接触領域分布に基づく速度変動の空間周波数は６３ｃｙｃｌｅｓ／回転の前後にもピークが現れると考えられる。
【００４６】
図１９は、不等ピッチ型の振動型アクチュエータにおける速度変動の空間周波数をシミュレーションしたものである。横軸は空間周波数であり、１回転あたりの周波数（ｃｙｃｌｅｓ／回転）、すなわち回転次数を示すものである。縦軸は速度変動の振幅である。入力信号は、振幅１のＳｉｎ波形を仮定して計算した。図のように、最も振幅が大きいピークｆｓは６３ｃｙｃｌｅｓ／回転であるが、その前後に、ｆｓ＝６０とｆｓ＝６６のピークが現れている。これは、突起１０個×６と突起１１個×６の成分が空間周波数的には発生する為である。
【００４７】
従って、不等ピッチ型の振動型アクチュエータに本発明の制御回路を適用する場合は、空間周波数ｆｓ＝６０、６３、６６ｃｙｃｌｅｓ／回転に対して、繰返し周期の異なる繰返し補償器を並列に接続するように構成すれば良い。
【００４８】
（第６の実施形態）
本発明の振動型アクチュエータの制御回路は、その他の振動型アクチュエータにも適用することが可能である。図２０は、カメラレンズのオートフォーカス駆動などに用いられる、棒状の振動型アクチュエータの分解斜視図である。振動型アクチュエータは、振動体２１０１と、移動体２１０２とにより構成されている。振動体２１０１には、摩擦材料を兼ねた第１の弾性体２１０３、電気−機械エネルギー変換素子である圧電素子２１０４、圧電素子２１０４への給電用のフレキシブルプリント基板２１０５、第２の弾性体２１０６が設けられている。これら部材は、シャフト２１０７の突き当てフランジ部２１０７ａとシャフト２１０７下部のネジ部２１０７ｂに嵌る下ナット２１０８で挟み、加圧締結されている。第１の弾性体２１０３は、例えばアルミナを主成分とする焼結セラミックであり、上下両面を両刀研削した後に上面の摩擦面側を仕上げポリッシュしている。移動体２１０２は、接触ばね２１０９をロータ２１１０に接着固定されている。これにより、移動体２１０２は、フランジ２１１１の軸受部によって回転自在に支持された出力ギア２１１２と加圧ばね２１１３によって振動体２１０１の摩擦面２１１４に加圧接触されている。
【００４９】
移動体２１０２の接触ばね２１０９はステンレスの絞り加工で小さなクランク断面を持つ円筒形状に形成されており、下端面が移動体の摩擦面として振動体の第１の弾性体の摩擦面２１１４と当接している。フレキシブルプリント基板２１０５を介して、不図示の電源から圧電素子２１０４に交番信号を印加する。それにより第１の弾性体２１０３の摩擦面には直交する２方向の１次の曲げ振動が励起され、時間位相π／２を持って重ね合せることによって、摩擦面２１１４に回転楕円運動を生じさせる。これにより、摩擦面に加圧接触する接触ばね２１０９を振動体２１０１に対して相対移動させる。
【００５０】
図２１は、弾性体に放射状の溝が設けられた振動体の斜視図である。図２１（ａ）に示す振動体２１０１は、第１の弾性体２１０３の上下面の締結面近傍に、放射状の溝（本例では２個）２２０１と２２０２がそれぞれ設けてある。また、図２１（ｂ）に示す振動体２１０１は、第１の弾性体２１０３の上面に放射状の溝２２０１が８個設けられている。このような放射状の溝２２０１を設けることで、大気中の湿度の影響による移動体２１０２の不起動を防止することができる。
【００５１】
前記複数の放射状の溝２２０１によって形成される、摩擦面２１１４（突起に相当）と移動体２１０２の接触領域分布に基づく速度変動の空間周波数は、図２１（ａ）の例ではｆｓ＝２ｃｙｃｌｅｓ／回転としてピークが現れる。また、図２１（ｂ）の例ではｆｓ＝８ｃｙｃｌｅｓ／回転としてピークが現れる。従って、このような振動型アクチュエータに本発明の制御回路を適用する場合、空間周波数ｆｓ＝２又は８ｃｙｃｌｅｓ／回転に対して繰返し周期を設定した複数の繰返し補償器を並列に接続し、加算するように構成すれば良い。
【００５２】
（第７の実施形態）
図２４は、繰返し補償器の前段にリミッタを設けた場合の構成例を示す図である。繰返し補償器６０１の前段にリミッタ２４０１を設けることで、負荷変動による外部からの突発的な外乱などによる制御性への悪影響を除去することができる。これは、前記外乱に含まれる繰返し周期成分の信号まで増幅してしまい、外乱信号が無くなっても不要な制御信号として残ってしまう為である。この対策として、前記リミッタを振動体の突起に起因した周期的な速度変動の最大と最小値を含む範囲に設定すれば、リミッタを超える外乱信号の影響を除去することができる。図２４（ａ）は、外乱としてステップ信号を入力した場合における、リミッタ２４０１の前段の信号波形を示したものである。横軸は時間、縦軸は速度変動である。外乱は振幅１のステップ信号を１ｓ後に与えた。振動型アクチュエータの伝達特性によって、ステップ信号の応答信号は図のような大きな変動を伴った信号波形となって生じる。図２４（ｂ）は、リミッタ２４０１の後段の信号波形を示したものである。リミッタを通過することで、リミッタの上限と下限を超える範囲の大きな変動は除去される。ここで、リミッタの上限と下限は、±０．１に設定した。つまり、外乱による負荷変動と比較すれば、振動体の突起に起因した速度変動は小さく、リミッタの設定値もＰＩＤ制御系の入力範囲に対してかなり小さく設定することができる。
【００５３】
図２５は外乱としてステップ信号を入力した場合における、速度変動のリミッタによる効果を示す計算結果である。図２５（ａ）は、リミッタを設けない場合の振動型アクチュエータの速度変動を示す信号波形である。図のように、外乱信号の影響が小さくなった後、すなわち１．０５ｓ後も、振幅の小さい速度変動が続いている様子がわかる。これは、繰返し周期に相当する周波数信号であり、不要な制御信号であるので、制御性能を悪化させてしまう。これに対して、図２５（ｂ）は、リミッタを設けた場合の振動型アクチュエータの速度変動を示す信号波形である。リミッタの効果によって、外乱信号の影響はほとんど生じていない。従って、外乱の影響で制御性能を悪化することなく、振動体の突起に起因した速度変動のみを低減する繰返し補償器を実現できる。
【符号の説明】
【００５４】
１０１  速度偏差検出器
１０２  ＰＩＤ補償器
１０３  駆動周波数パルス発生器
１０４  駆動回路
１０５  振動型アクチュエータ
１０６  被駆動体
１０７  速度検出器
６０１  繰返し補償器
２４０１  リミッタ
【図１】
0005606282.tif 000002
【図２】
0005606282.tif 000003
【図３】
0005606282.tif 000004
【図４】
0005606282.tif 000005
【図５】
0005606282.tif 000006
【図６】
0005606282.tif 000007
【図７】
0005606282.tif 000008
【図８】
0005606282.tif 000009
【図９】
0005606282.tif 000010
【図１０】
0005606282.tif 000011
【図１１】
0005606282.tif 000012
【図１２】
0005606282.tif 000013
【図１３】
0005606282.tif 000014
【図１４】
0005606282.tif 000015
【図１５】
0005606282.tif 000016
【図１６】
0005606282.tif 000017
【図１７】
0005606282.tif 000018
【図１８】
0005606282.tif 000019
【図１９】
0005606282.tif 000020
【図２０】
0005606282.tif 000021
【図２１】
0005606282.tif 000022
【図２２】
0005606282.tif 000023
【図２３】
0005606282.tif 000024
【図２４】
0005606282.tif 000025
【図２５】
0005606282.tif 000026